(57)【要約】      （修正有）【課題】自動販売機に充電用設備を配備したのと同等の機能を、コスト高になることなく、商用ベースで達成可能とするＵＳＢコンセント付き空き缶回収ボックスを提供する。【解決手段】飲料自動販売機２に併設される、携帯電子機器充電用のＵＳＢコンセント付き空き缶回収ボックス１であって、回収ボックスは、飲料自動販売機と同等の高さを有し、正面中間高さ位置に空き缶回収用の開口３を有し、開口の上方に、携帯電子機器載置用のシェルフ４と、充電用の埋込み型ＵＳＢコンセント５と、を有し、埋込み型ＵＳＢコンセント５は、開閉扉付きの防雨型カバー５１により覆われ、空き缶回収ボックス１は、埋込み型ＵＳＢコンセント５の端子に電源を供給する電源回路を内蔵し、かつ電源回路に外部から電源を供給するための電源プラグを有している。【選択図】図４
0003211534.tif 000002
【実用新案登録請求の範囲】
【請求項１】
飲料自動販売機に併設される、携帯電子機器充電用のＵＳＢコンセント付き空き缶回収ボックスであって、
空き缶回収ボックスは、
飲料自動販売機と略同等の高さを有し、
正面略中間高さ位置に空き缶回収用の開口を有し、
前記開口の上方に携帯電子機器載置用のシェルフを有し、このシェルフの上方に埋込み型のＵＳＢコンセントを有し、
前記ＵＳＢコンセントは、開閉扉付きの防雨型カバーにより覆われ、
前記空き缶回収ボックスは、前記ＵＳＢコンセントの端子に電源を供給する電源回路を内蔵し、かつ前記電源回路に外部から電源を供給するための電源プラグを有していることを特徴とする携帯電子機器充電用のＵＳＢコンセント付き空き缶回収ボックス。
【請求項２】
空き缶回収ボックスの上部位置に、ＬＥＤライトを内蔵した防雨型照明ブラケットを備え、
前記電源回路は、前記ＬＥＤライトに給電するための出力端子と、充電動作開始から所定時間だけ前記ＵＳＢコンセントの端子に給電するタイマーとを備えている、請求項１記載の携帯電子機器充電用のＵＳＢコンセント付き空き缶回収ボックス。
【考案の詳細な説明】
【技術分野】
【０００１】
本考案は、携帯電子機器を充電するためのＵＳＢコンセント付き空き缶回収ボックスに関する。
【背景技術】
【０００２】
携帯電子機器のバッテリーを充電するための充電用ホルダーやコネクタを備えた自動販売機は、種々のものが知られている（特許文献１，２参照）。いずれも、自動販売機自体に充電用ホルダーやコネクタを配備したものである。
【先行技術文献】
【特許文献】
【０００３】
【特許文献１】特開２００２−８１２７号公報
【特許文献２】特開２００３−１３２４２４号公報
【考案の概要】
【考案が解決しようとする課題】
【０００４】
充電用設備を備えていない既存の自動販売機に、充電用設備を配備するには、自動販売機自体を大幅に改造し、かつ電気回路を敷設しなければならず、手間がかかりコスト高となることから、経済ベースでは実現困難であった。また、予め充電用設備を備えた自動販売機も、特別仕様品となり高価で、広く普及するに至っていない。また、図５に示したように、飲料自動販売機２０の傍らには、ペットボトルや空き缶を回収する回収ボックス１０が配置されることが多い。回収ボックス１０は、一般に飲料自動販売機２０の背高さよりも低く、回収ボックス１０の上部空間が有効に利用されていない。
【０００５】
本考案は、上記を考慮して成されたものであり、コスト高になることがなく、自動販売機に充電用設備を配備したのと同様の機能を商業ベースで達成可能な、携帯電子機器充電用のＵＳＢコンセント付き空き缶回収ボックスを提供することを目的とする。
【課題を解決するための手段】
【０００６】
本考案は、飲料自動販売機に併設される、携帯電子機器充電用のＵＳＢコンセント付き空き缶回収ボックスであって、
空き缶回収ボックスは、飲料自動販売機と略同等の高さを有し、正面略中間高さ位置に空き缶回収用の開口を有し、
前記開口の上方に携帯電子機器載置用のシェルフを有し、このシェルフの上方に埋込み型のＵＳＢコンセントを有し、
前記ＵＳＢコンセントは、開閉扉付きの防雨型カバーにより覆われ、
前記空き缶回収ボックスは、前記ＵＳＢコンセントの端子に電源を供給する電源回路を内蔵し、かつ前記電源回路に外部から電源を供給するための電源プラグを有している。
【考案の効果】
【０００７】
本考案によれば、自動販売機自体を改造する手間、コストをかけることなく、自動販売機に携帯電子機器充電機能を持たせたのと同様の機能を商業ベースで得ることができる。また、空き缶回収ボックスの上部空間を有効利用して、携帯電子機器充電機能を得ることができる。
【図面の簡単な説明】
【０００８】
【図１】本考案の一実施形態に係る携帯電子機器充電用のＵＳＢコンセント付き空き缶回収ボックスの斜視図である。
【図２】同回収ボックスの側面図である。
【図３】（ａ）は同回収ボックスの側断面図、（ｂ)は部分拡大図である。
【図４】同回収ボックスの据付状態を示す正面図である。
【図５】従来の、飲料自動販売機に併設される空き缶回収ボックスの正面図である。
【考案を実施するための形態】
【０００９】
本考案の一実施形態に係る携帯電子機器充電用のＵＳＢコンセント付き空き缶回収ボックス（以下、回収ボックスという）について、図１乃至図４を参照して説明する。回収ボックス１は、飲料自動販売機２（図４）に併設される、携帯電子機器充電用ＵＳＢコンセント５付きとされている。回収ボックス１は、飲料自動販売機２と略同等の高さを有し、正面略中間高さ位置に空き缶回収用の開口３を有し、開口３の上方に、携帯電子機器載置用のシェルフ４を有し、シェルフ４の上方に充電用の埋込み型ＵＳＢコンセント５を有する。埋込み型ＵＳＢコンセント５は、開閉扉５２付きの防雨型カバー５１により覆われている。回収ボックス１は、埋込み型ＵＳＢコンセント５の端子に電源を供給する電源回路５３を内蔵し、かつ電源回路５３に外部のＡＣ電源から電力を供給するための電源プラグ５４および電源ケーブル５５を有している。
【００１０】
回収ボックス１は、その前面幅が通常の飲料自動販売機２の前面幅の１／３乃至１／４とされ、奥行きは通常の飲料自動販売機２と同等とすればよい。回収ボックス１内の開口３の下方は、空き缶回収空間とされ、前面には開閉ドアが設けられ、回収袋をセットし、また取り出し可能とされている。回収ボックス１は、図４に示すように、飲料自動販売機２の側面に併設して使用される。
【００１１】
シェルフ４は、回収ボックス１の前面に携帯電子機器を載置可能な寸法だけ突出して水平に設けられ、携帯電子機器が滑り落ちないようにシェルフ４の前端は上方に曲げられている。埋込み型ＵＳＢコンセント５は、シェルフ４の直上方に複数個設けられ、開閉扉５２付きの防雨型カバー５１に覆われて、防雨構成とされている。開閉扉５２は、下端がスプリング入りの回転軸となり、閉じ状態で防雨のため前傾姿勢とされ、上端がカバー５１の開口縁に係合されて閉じ状態に保持され、その係合が外されるとスプリングにより開き方向に付勢されて開く。開閉扉５２は、その上端にユーザが開閉扉５２を開閉するための摘みを備えている。
【００１２】
回収ボックス１は、本実施形態においては、その上部位置に、ＬＥＤライト内蔵の防雨型照明ブラケット６を備え、回収ボックス１の前面周辺を照明できるものとしている。回収ボックス１の前面には、例えば「ケータイが充電できる」のような表示が施されており、照明ブラケット６のＬＥＤライトにより照明され、ユーザに携帯電子機器の充電が可能であることを容易に認識させるようにしている。回収ボックス１の前面上端には、雨除け用の庇７が設けられている。回収ボックス１内の電源回路５３は、照明ブラケット６のＬＥＤライトに給電するための出力端子と、充電動作開始から所定時間だけＵＳＢコンセント５の端子に給電するタイマーとを備えている。
【００１３】
本実施形態の回収ボックス１においては、携帯電子機器５６（図３）を所有するユーザが、ＵＳＢケーブル５７を携帯していれば、開閉扉５２を開いて、携帯電子機器５６に一端を接続したＵＳＢケーブル５７の他端を埋込み型ＵＳＢコンセント５に接続することで、携帯電子機器５６をタイマーで設定された時間内に充電できる。ここに、携帯電子機器充電のためのＵＳＢコンセント５を自動販売機自体に設けるのではないため、自動販売機自体を改造する手間、コストをかけることなく、飲料自動販売機２に併設して使用されることで、自動販売機に携帯電子機器充電機能を持たせたのと同様の機能を商業ベースで得ることができる。ユーザは飲料自動販売機２で飲料を購入し、飲み終わった空き缶やペットボトルを開口３より投入し、廃棄することができる。さらには、回収ボックス１の上部空間を携帯電子機器充電装置として有効に利用することができ、省スペースとなる。
【００１４】
また、開閉扉５２を開いて埋込み型ＵＳＢコンセント５にＵＳＢケーブル５７を接続し、シェルフ４上に携帯電子機器５６を載置した状態では、開閉扉５２はスプリングにより開いた状態に保持され、かつシェルフ４はＵＳＢコンセント５の下方にある。従って、ＵＳＢケーブル５７はＵＳＢコンセント５から下方に向かうので、水滴がＵＳＢケーブル５７に付着してもＵＳＢコンセント５側に流下せず、防雨機能を確実に保障できる。開閉扉５２はスプリングにより閉じ状態に付勢されるものであってもよい。この場合、開閉扉５２が開いたまま放置されないので防塵になる。また、回収ボックス１の前面は照明ブラケット６のＬＥＤライトにより照明されるので、ユーザは夜間においても容易に携帯電子機器の充電スポットの存在を知ることができる。また、電源回路５３がタイマー付きであることで、一人のユーザが充電機能を長時間独占するといった不具合を防止できる。なお、係る不具合を問題としない場合は、タイマー付きでなくても構わない。
【００１５】
なお、本考案は、上記実施形態の構成に限られず種々の変形が可能である。例えば、ＵＳＢコンセント５にＵＳＢケーブル５７を予め接続して付属したものとしてもよい。その場合、ＵＳＢコンセント５は回収ボックス１内に内蔵させ、そのＵＳＢコンセント５に一端を接続したＵＳＢケーブル５７の他端側を外部に露出させた構成とすればよい。請求項でいう「埋込み型ＵＳＢコンセント」は、このような構成をも含む。
【符号の説明】
【００１６】
１  回収ボックス
２  飲料自動販売機
３  空き缶回収用の開口
４  携帯電子機器載置用のシェルフ
５  携帯電子機器充電用のＵＳＢコンセント
５１  防雨型カバー
５２  開閉扉
５３  電源回路
５４  電源プラグ
５５  電源ケーブル
５６  携帯電子機器
５７  ＵＳＢケーブル
６  ＬＥＤライト内蔵の防雨型照明ブラケット
【図１】
0003211534.tif 000003
【図２】
0003211534.tif 000004
【図３】
0003211534.tif 000005
【図４】
0003211534.tif 000006
【図５】
0003211534.tif 000007